(57)【要約】【課題】映像コンテンツのダウンロードサービスシステムに携帯端末を用いてアクセスできるようにする。【解決手段】代理アクセス装置３０は、携帯端末と、映像データのダウンロード機能を持つＤＴＶ（Digital TV）７０と、複数の映像データを蓄積し認証されたＤＴＶへの映像データのダウンロードを許可するコンテンツ配信装置５０とにネットワークを介して接続され、データの送受信を中継する。関連付け実行部４２は、ＤＴＶの識別符号と携帯端末の識別符号とをユーザからの指示を契機として関連付けする。識別符号保持部４４は関連付けられた識別符号を保持する。認証実行部４６は、ユーザから携帯端末を介して映像装置への映像データのダウンロードを希望する旨の指令を受けたとき、携帯端末の識別符号に関連付けられた映像装置の識別符号を受け取り、少なくともこの識別符号を用いてコンテンツ配信装置５０との間で認証手続を実行する。【選択図】図３
2009141856.tif 000002
【特許請求の範囲】
【請求項１】
ネットワークを介して映像データをダウンロードする機能を有し、固有の映像装置識別符号が付与された映像装置と、
複数の映像データを蓄積し、前記映像装置との間で前記映像装置識別符号を用いた認証手続を実行し、認証された映像装置への映像データのダウンロードを許可するコンテンツ配信装置と、
通信機能を有し固有の携帯識別符号が付与された携帯端末と、
にネットワークを介して接続されデータの送受信を中継する装置であって、
ユーザが前記携帯端末を介して前記コンテンツ配信装置から前記映像装置への映像データのダウンロードを指令できるようにするための代理アクセス処理部を備え、
前記代理アクセス処理部は、
前記映像装置識別符号と前記携帯識別符号とを、ユーザからの指示を契機として関連付けする関連付け実行部と、
関連付けられた識別符号を保持する識別符号保持部と、
ユーザから前記携帯端末を介して前記映像装置への映像データのダウンロードを希望する旨の指令を受けたとき、該携帯端末の携帯識別符号に関連付けられた映像装置識別符号を前記識別符号保持部から受け取り、少なくともこの映像装置識別符号を用いて前記コンテンツ配信装置との間で認証手続を実行する認証実行部と、を含み、
前記認証手続の完了後に、所望の映像データをユーザに選択させるために必要なメタデータを前記コンテンツ配信装置から受け取り、前記携帯端末上で利用可能な態様に修正するメタデータ修正部と、
修正されたメタデータを前記携帯端末に送信するとともに、ユーザの選択した映像データに関する情報を前記携帯端末から受け取り前記コンテンツ配信装置に送信する送信制御部と、
をさらに備えることを特徴とする代理アクセス装置。
【請求項２】
前記送信制御部は、映像データのダウンロード完了時に前記映像装置から発信される完了通知を前記携帯端末に送信することを特徴とする請求項１に記載の代理アクセス装置。
【請求項３】
ユーザからの指示を契機として管理用識別符号を前記携帯端末に発行する識別符号発行部をさらに備え、
前記関連付け実行部は、前記映像装置と前記携帯端末の両方からの通信に同一の管理用識別符号が含まれていることに基づき、前記映像装置識別符号と前記携帯識別符号とを関連付けすることを特徴とする請求項１または２に記載の代理アクセス装置。
【請求項４】
映像データの選択情報を前記コンテンツ配信装置に送信した後、映像データの受信または録画の準備を促すトリガ信号を前記映像装置に送信するトリガ送信部をさらに備えることを特徴とする請求項１ないし３のいずれかに記載の代理アクセス装置。
【請求項５】
ネットワークを介して映像データをダウンロードする機能を有し、固有の映像装置識別符号が付与された映像装置と、
複数の映像データを蓄積し、前記映像装置との間で前記映像装置識別符号を用いた認証手続を実行し、認証された映像装置への映像データのダウンロードを許可するコンテンツ配信装置と、
通信機能を有し固有の識別符号が付与された携帯端末と、
前記携帯端末、前記映像装置、および前記コンテンツ配信装置とネットワークを介して接続されデータの送受信を中継する代理アクセス装置と、
を含み、
前記代理アクセス装置は、
携帯端末に付与された携帯識別符号と前記映像装置識別符号とを関連付けしたテーブルを保持し、
ユーザから前記携帯端末を介して前記映像装置への映像データのダウンロードを希望する旨の指令を受けたとき、該携帯端末の携帯識別符号に関連付けられた映像装置識別符号を前記テーブルから取り出し、少なくともこの映像装置識別符号を用いて前記コンテンツ配信装置との間で認証手続を実行する認証実行部と、
前記認証手続の完了後に、所望の映像データをユーザに選択させるために必要なメタデータを前記コンテンツ配信装置から受け取り、前記携帯端末上で利用可能な態様に修正するメタデータ修正部と、
修正されたメタデータを前記携帯端末に送信するとともに、ユーザの選択した映像データに関する情報を前記携帯端末から受け取り前記コンテンツ配信装置に送信する送信制御部と、
をさらに備えることを特徴とする代理アクセスシステム。
【請求項６】
前記代理アクセス装置は、ユーザからの指示を契機として管理用識別符号を前記携帯端末に発行する識別符号発行部をさらに備え、
前記映像装置は、前記携帯端末を用いて前記コンテンツ配信装置から前記映像装置への映像データのダウンロードを指令することを希望するか否かを前記ユーザに問い合わせる画面を表示し、前記ユーザから希望する旨の指示がなされた場合、前記ユーザから入力された前記管理用識別符号を前記映像装置識別符号とともに前記代理アクセス装置へと送信し、
前記代理アクセス装置は、前記映像装置と前記携帯端末の両方からの通信に同一の管理用識別符号が含まれていることに基づき、前記映像装置識別符号を前記携帯識別符号と関連付けすることを特徴とする請求項５に記載の代理アクセスシステム。
【請求項７】
前記代理アクセス装置は、映像データの選択情報を前記コンテンツ配信装置に送信した後、前記映像装置に対して映像データの受信または録画の準備を促すトリガ信号を前記映像装置に送信するトリガ送信部をさらに備え、
前記コンテンツ配信装置は、映像データの選択情報を受信後、映像データの送信待ち状態に移行し、
前記映像装置は、前記トリガ信号の受信後に前記コンテンツ配信装置に対して映像データの送信開始を要求することを特徴とする請求項６に記載の代理アクセスシステム。
【請求項８】
前記映像装置識別符号は、前記映像装置を構成するハードウェアに割り当てられたシリアル番号を含むことを特徴とする請求項５ないし７のいずれかに記載の代理アクセスシステム。
【請求項９】
ネットワークを介して映像データをダウンロードする機能を有し固有の映像装置識別符号が付与された映像装置であって、前記映像装置識別符号を用いた認証手続を実行し認証された映像装置への映像データのダウンロードを許可するコンテンツ配信装置と、映像装置の代わりに前記コンテンツ配信装置との間で認証手続を実行する代理アクセス装置とにネットワークを介して接続され、
前記代理アクセス装置のネットワーク上のアドレスを保持するアドレス保持部と、
ユーザからの携帯端末を用いた前記コンテンツ配信装置に対する映像データのダウンロード要求を認めるか否かを前記ユーザに問い合わせる選択画面を提供する選択画面提供部と、
前記ユーザからダウンロード要求を認める旨の選択がなされた場合、前記アドレスを使用して前記映像装置識別符号を前記代理アクセス装置へと送信する送信部と、
前記代理アクセス装置と前記コンテンツ配信装置の間での認証手続の完了後に前記コンテンツ配信装置から送信される映像データを受信する準備を開始する映像受信部と、
を備えることを特徴とする映像装置。
【発明の詳細な説明】
【技術分野】
【０００１】
本発明は、複数の映像データを蓄積するサーバからネットワークを介して映像データをダウンロードする技術に関する。
【背景技術】
【０００２】
近年、ブラウザを搭載し、ネットワークを介してウェブページの閲覧が可能である、デジタルテレビ（ＤＴＶ）をはじめとするいわゆる情報家電が普及している。これにより、パーソナルコンピュータ（ＰＣ）を使用しなくても、ユーザはウェブ上の様々な情報を入手したりショッピングをしたりすることができる。また、光ケーブルなどの高速データ通信網が整備されるにつれて、映画やテレビ番組などのデジタルコンテンツデータを各家庭のＤＴＶにダウンロードする映像配信サービスが普及しつつある。
【０００３】
このような配信サービスを実現する技術として、例えば特許文献１は、サービス事業者のサーバからマンション等の集合住宅内に設置された配信サーバに一旦コンテンツを蓄積しておき、ユーザの要求にしたがって配信サーバから各家庭の視聴端末にコンテンツが配信されるコンテンツ配信システムを開示している。
【特許文献１】特開２００６−２２１２１２号公報
【発明の開示】
【発明が解決しようとする課題】
【０００４】
一般に、映画をはじめとする映像コンテンツはデータ量が非常に大きいことから、コンテンツデータの全体が各家庭のテレビ装置に配信された後で視聴が可能となるダウンロード型の配信サービスを利用する場合、ユーザは、ダウンロードを開始してからしばらくの間、映像コンテンツを楽しむことができない。
【０００５】
ユーザの自宅にあるテレビ装置に対して映像データをダウンロードするように外出先などから指示しておくことができれば、ユーザはダウンロードがされている間テレビの前で待機する必要がなくなる。そこで、本願発明者らは、携帯電話をはじめとする携帯端末を用いて映像データの配信システムにアクセスできるようにすれば便利であるという認識を得るに至った。
【０００６】
本発明はこうした課題に鑑みてなされたものであり、その目的は、テレビをはじめとする映像装置のみを対象とする既存の映像データ配信サービスに対して、映像装置以外からのダウンロード操作を可能にする技術を提供することにある。
【課題を解決するための手段】
【０００７】
本発明のある態様は、ネットワークを介して映像データをダウンロードする機能を有し固有の映像装置識別符号が付与された映像装置と、複数の映像データを蓄積し映像装置との間で映像装置識別符号を用いた認証手続を実行し、認証された映像装置への映像データのダウンロードを許可するコンテンツ配信装置と、通信機能を有し固有の携帯識別符号が付与された携帯端末と、にネットワークを介して接続されデータの送受信を中継する代理アクセス装置である。この装置は、ユーザが携帯端末を介してコンテンツ配信装置から映像装置への映像データのダウンロードを指令できるようにするための代理アクセス処理部を備える。代理アクセス処理部は、映像装置識別符号と携帯識別符号とをユーザからの指示を契機として関連付けする関連付け実行部と、関連付けられた識別符号を保持する識別符号保持部と、ユーザから携帯端末を介して映像装置への映像データのダウンロードを希望する旨の指令を受けたとき、該携帯端末の携帯識別符号に関連付けられた映像装置識別符号を識別符号保持部から受け取り、少なくともこの映像装置識別符号を用いてコンテンツ配信装置との間で認証手続を実行する認証実行部と、を含む。代理アクセス装置はさらに、認証手続の完了後に、所望の映像データをユーザに選択させるために必要なメタデータをコンテンツ配信装置から受け取り、携帯端末上で利用可能な態様に修正するメタデータ修正部と、修正されたメタデータを携帯端末に送信するとともに、ユーザの選択した映像データに関する情報を携帯端末から受け取りコンテンツ配信装置に送信する送信制御部と、を備える。
【０００８】
この態様によると、携帯端末の識別符号と映像装置の識別符号とを関連付けした上で、携帯端末からの操作があったときに、代理アクセス装置が映像装置の識別符号を用いてコンテンツ配信装置にアクセスするようにした。これにより、映像装置の識別符号を用いて認証手続をするように構成されたコンテンツ配信装置に対し映像装置以外の携帯端末からアクセスして映像データのダウンロード指示をすることができる。したがって、外出先などからのダウンロード操作が可能になり、ユーザの利便性が向上する。
【０００９】
送信制御部は、映像データのダウンロード完了時に映像装置から発信される完了通知を携帯端末に送信してもよい。これにより、ユーザは映像装置へのダウンロードが完了したことを確認することができる。
【００１０】
ユーザからの指示を契機として管理用識別符号を携帯端末に発行する識別符号発行部をさらに備えてもよい。関連付け実行部は、映像装置と携帯端末の両方からの通信に同一の管理用識別符号が含まれていることに基づき、映像装置識別符号と携帯識別符号とを関連付けしてもよい。これにより、携帯端末の識別符号と映像装置の識別符号をユーザに手入力させることなく、代理アクセス装置が両者を関連付けすることができる。
【００１１】
映像データの選択情報をコンテンツ配信装置に送信した後、映像データの受信または録画の準備を促すトリガ信号を映像装置に送信するトリガ送信部をさらに備えてもよい。これにより、映像装置に対して映像データの受信または録画の準備を促すことができる。
【００１２】
本発明の別の態様は、代理アクセスシステムである。このシステムは、ネットワークを介して映像データをダウンロードする機能を有し、固有の映像装置識別符号が付与された映像装置と、複数の映像データを蓄積し、映像装置との間で映像装置識別符号を用いた認証手続を実行し、認証された映像装置への映像データのダウンロードを許可するコンテンツ配信装置と、通信機能を有し固有の識別符号が付与された携帯端末と、携帯端末、映像装置、およびコンテンツ配信装置とネットワークを介して接続されデータの送受信を中継する代理アクセス装置と、を含む。代理アクセス装置は、携帯端末に付与された携帯識別符号と映像装置識別符号とを関連付けしたテーブルを保持し、ユーザから携帯端末を介して映像装置への映像データのダウンロードを希望する旨の指令を受けたとき、該携帯端末の携帯識別符号に関連付けられた映像装置識別符号をテーブルから取り出し、少なくともこの映像装置識別符号を用いてコンテンツ配信装置との間で認証手続を実行する認証実行部と、認証手続の完了後に、所望の映像データをユーザに選択させるために必要なメタデータをコンテンツ配信装置から受け取り、携帯端末上で利用可能な態様に修正するメタデータ修正部と、修正されたメタデータを携帯端末に送信するとともに、ユーザの選択した映像データに関する情報を携帯端末から受け取りコンテンツ配信装置に送信する送信制御部と、をさらに備える。
【００１３】
この態様によると、映像装置識別符号を用いて認証手続をするように構成されたコンテンツ配信装置に対し映像装置以外の携帯端末からアクセスして映像データのダウンロード指示をすることができる。
【００１４】
代理アクセス装置は、ユーザからの指示を契機として管理用識別符号を携帯端末に発行する識別符号発行部をさらに備えてもよい。映像装置は、携帯端末を用いてコンテンツ配信装置から映像装置への映像データのダウンロードを指令することを希望するか否かをユーザに問い合わせる画面を表示し、ユーザから希望する旨の指示がなされた場合、ユーザから入力された管理用識別符号を映像装置識別符号とともに代理アクセス装置へと送信し、代理アクセス装置は、映像装置と携帯端末の両方からの通信に同一の管理用識別符号が含まれていることに基づき、映像装置識別符号を携帯識別符号と関連付けしてもよい。これにより、携帯端末の識別符号と映像装置の識別符号をユーザに手入力させることなく、代理アクセス装置が両者を関連付けすることができる。
【００１５】
代理アクセス装置は、映像データの選択情報をコンテンツ配信装置に送信した後、映像装置に対して映像データの受信または録画の準備を促すトリガ信号を映像装置に送信するトリガ送信部をさらに備えてもよい。コンテンツ配信装置は、映像データの選択情報を受信後、映像データの送信待ち状態に移行し、映像装置は、トリガ信号の受信後にコンテンツ配信装置に対して映像データの送信開始を要求してもよい。これにより、映像装置に対して映像データの受信または録画の準備を促すことができる。
【００１６】
映像装置識別符号は、映像装置を構成するハードウェアに割り当てられたシリアル番号であってもよい。
【００１７】
本発明のさらに別の態様は、映像装置である。この映像装置は、ネットワークを介して映像データをダウンロードする機能を有し固有の映像装置識別符号が付与された映像装置であって、映像装置識別符号を用いた認証手続を実行し認証された映像装置への映像データのダウンロードを許可するコンテンツ配信装置と、映像装置の代わりにコンテンツ配信装置との間で認証手続を実行する代理アクセス装置とにネットワークを介して接続される。映像装置は、代理アクセス装置のネットワーク上のアドレスを保持するアドレス保持部と、ユーザからの携帯端末を用いたコンテンツ配信装置に対する映像データのダウンロード要求を認めるか否かをユーザに問い合わせる選択画面を提供する選択画面提供部と、ユーザからダウンロード要求を認める旨の選択がなされた場合、アドレスを使用して映像装置識別符号を代理アクセス装置へと送信する送信部と、代理アクセス装置とコンテンツ配信装置の間での認証手続の完了後にコンテンツ配信装置から送信される映像データを受信する準備を開始する映像受信部と、を備える。
【００１８】
この態様によると、代理アクセス装置のアドレスと、コンテンツ配信装置への携帯端末からのアクセスを促す画面とを映像装置に予め記憶させておくことで、代理アクセスシステムを使用するようにユーザを導くことができる。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、テレビをはじめとする映像装置のみを対象とする既存の映像データ配信サービスに対して、携帯端末を使用して映像装置へのダウンロード操作をすることが可能になる。
【発明を実施するための最良の形態】
【００２１】
本発明の一実施形態は、映像データを録画する機能を備えるデジタルテレビ（ＤＴＶ）に映像データを配信する既存のコンテンツ配信装置に対して、ユーザが携帯端末を用いて映像データのＤＴＶへのダウンロードを指示できるようにする代理アクセスシステムである。これにより、ユーザがＤＴＶを直接操作しなくても、外出先等から携帯端末を用いて映像データをＤＴＶに録画させることができる。
【００２２】
図１は、本実施形態に係る代理アクセスシステム９０の全体構成を示す。
【００２３】
携帯端末１０は、通信機能を備えるＰＤＡ（Personal Digital Assistance）、携帯電話などのユーザと共に移動可能な任意のハードウェアである。携帯端末１０は、ユーザの操作によってアクセスポイント１６を介してＬＡＮ（Local Area Network）、インターネット等のネットワーク１４に接続され、代理アクセス装置３０にアクセスすることができる。携帯端末１０には、固有の識別符号（以下、これを「携帯ＩＤ」と呼ぶ）が付与されている。携帯識別符号は、ハードウェアに付与されていてもソフトウェア的なものでもよいし、電話番号であってもよい。
【００２４】
ＤＴＶ７０はレコーダ一体型のテレビ受像機である。ＤＴＶ７０は、ダウンロード型の映像コンテンツデータの配信サービスを提供するコンテンツ配信装置５０からネットワーク１４を介して映像データをダウンロードし、ハードディスクドライブ、ＤＶＤ（Digital Versatile Disk）ドライブ等の大容量記憶装置に映像データを録画可能に構成されている。録画機能はＤＴＶ７０と一体的に構成されていることが好ましいが、レコーダ２０がＤＴＶ７０に外付けされていてもよい。この場合でも、ＤＴＶ側からの操作によりレコーダ２０の起動、録画開始、録画終了の確認といった操作が可能であることが好ましい。ＤＴＶ７０には、工場出荷の段階でハードウェアに固有のシリアルＩＤ（以下、これを「機器ＩＤ」と呼ぶ）が付与されている。機器ＩＤは、メーカによって割り振られている機体番号でもよいし、組み込まれているネットワーク機器のＭＡＣ（Media Access Control）アドレスなどの物理アドレスであってもよい。
【００２５】
携帯端末１０とＤＴＶ７０には周知のブラウザが搭載され、ネットワーク１４を経由してＵＲＬ（Uniform Resource Locator）で指定されるウェブサーバにアクセスし、ウェブページを閲覧することが可能である。
【００２６】
携帯端末１０およびＤＴＶ７０には、ＣＰＵ（Central Processing Unit）、メインメモリ（ＲＡＭ：Random Access Memory）、ＲＯＭ（Read Only Memory）等の他、ディスプレイと入力装置が備えられる。携帯端末の入力装置は、筐体に配置される各種ボタンやディスプレイの表面に配置されるタッチパネルなどである。ＤＴＶ７０の入力装置は、ＵＳＢ（Universal Serial Bus）端子等を介してＤＴＶに接続されたキーボードやマウスでもよいし、ディスプレイに配列表示される文字をリモートコントローラで選択する形式であってもよい。また、携帯端末１０とＤＴＶ７０は、各種通信方式によるデータの通信を制御する通信制御装置（図示せず）を備える。データ通信方式は、ＩＥＥＥ８０２．１ｂ／ｇなどの無線ＬＡＮ、赤外線通信、パケット通信によるデータ通信などの任意の方式を含む。
【００２７】
携帯端末１０とＤＴＶ７０はいずれも周知の装置であるから、これ以上詳細な説明は省略する。
【００２８】
コンテンツ配信装置５０は、映画、ドラマ、ニュースなどの映像コンテンツデータを多数蓄積している装置である。コンテンツ配信装置５０は、ネットワーク１４を介してＤＴＶ７０に映像データを提供する。映像データは、ＭＰＥＧ−２、Ｈ．２６４／ＡＶＣなどの既知の動画圧縮規格にしたがって圧縮された状態で送信される。通常、コンテンツ配信装置５０にはＤＴＶ７０の搭載するブラウザからのみ接続可能であり、ＰＣなどの他の装置からはメニュー画面の閲覧や映像データのダウンロードができないように構成されている。このため、コンテンツ配信装置５０は、ＤＴＶ７０との間で所定のプロトコルにしたがった認証処理を実行し、認証が成功したときのみダウンロードを許可する。
【００２９】
代理アクセス装置３０は、ＤＴＶ７０からのアクセスのみが許可されているコンテンツ配信装置５０に対し、前述の認証プロトコルを代理実行することによって、携帯端末からでもダウンロード指示が可能となるように中継機能を果たす装置である。ユーザは、予め自宅にあるＤＴＶと自分の携帯端末とを関連付けて代理アクセス装置３０に登録しておく。ユーザが携帯端末を使用して代理アクセス装置３０に接続すると、代理アクセス装置３０は、映像データのダウンロード指示をするか否かをユーザに問い合わせる。ユーザがダウンロードを希望すると、代理アクセス装置３０は、携帯端末と関連付けられているＤＴＶがコンテンツ配信装置５０に接続しているように振る舞うことによって、携帯端末を用いてダウンロード指示することを可能にする。
【００３０】
図２は、従来のコンテンツ配信装置とＤＴＶの間で映像データのダウンロードをするときのフローチャートである。
ユーザが映像データのダウンロードを希望する場合、ユーザはＤＴＶのブラウザを起動してコンテンツ配信装置にアクセスする。このとき、ＤＴＶから機器ＩＤがコンテンツ配信装置に与えられ（Ｓ１０）、両者の間で所定のプロトコルにしたがって認証処理がなされ（Ｓ１２）、ＤＴＶに認証結果が通知される（Ｓ１４）。
【００３１】
続いて、コンテンツ配信装置から映像データ選択用のメニュー画面がＤＴＶに送信され（Ｓ１６）、ＤＴＶのディスプレイにメニューが表示される（Ｓ１８）。ユーザがいずれかの映像データが選択されると、その情報が送られ（Ｓ２０）、選択された映像データがコンテンツ配信装置からＤＴＶにダウンロードされる（Ｓ２２）。ダウンロードが終了すると、ＤＴＶから配信装置に対し完了通知が送信される（Ｓ２４）。
【００３２】
ダウンロード型のサービスを提供しているコンテンツ配信装置は、ＨＴＴＰにしたがったアクセスの際にＤＴＶの機器ＩＤが含まれていることを元に認証手続を実行し、認証が成功した場合にのみ映像データの配信を許可する。これにより、ＰＣ等の他の装置がコンテンツ配信装置にアクセスすることを防止している。しかし、上述したように、映像データのダウンロードには相当の時間がかかりその間は視聴ができないことから、映像データを自宅のＤＴＶにダウンロードさせる指示を外出先等から出すことができれば、ユーザの利便性が大きく向上する。
【００３３】
本実施形態では、携帯端末とコンテンツ配信装置の間に代理アクセス装置を介在させることで、携帯端末を利用した映像データのダウンロード指示を可能にしたものである。言い換えると、代理アクセス装置３０は、登録されている情報を利用してユーザの自宅にあるＤＴＶ７０のように振る舞い、コンテンツ配信装置５０に接続して映像データをＤＴＶにダウンロードするように依頼する。これに応じて、コンテンツ配信装置５０は映像データをＤＴＶに向けて送信するので、ＤＴＶ７０はこれを録画することができる。
【００３４】
図３は、図１に示した代理アクセス装置３０、コンテンツ配信装置５０、およびＤＴＶ７０のうち、本実施形態に係る部分の構成を示す。これらの構成は、ハードウェア的には、任意のコンピュータのＣＰＵ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組合せによっていろいろなかたちで実現できることは、当業者には理解されるところである。
【００３５】
続いて、各機能ブロックの動作および構成の詳細を述べる。
【００３６】
まず、代理アクセス装置３０について説明する。
代理アクセス処理部４０は、ユーザが携帯端末１０を介してコンテンツ配信装置５０からＤＴＶ７０への映像データのダウンロードを指令できるようにする処理を実行する。代理アクセス処理部４０は、関連付け実行部４２、識別符号保持部４４、認証実行部４６、および識別符号発行部４８を含む。
【００３７】
関連付け実行部４２は、ＤＴＶ７０の機器ＩＤと携帯端末１０の携帯ＩＤとを関連付けする。後述するように、この関連付けは、まず紐付け用ＩＤとパスワードを携帯端末１０に対して発行し、関連付けしたいＤＴＶ７０にユーザがこれらを手入力することから始まる。その後、関連付け実行部４２は、ＤＴＶ７０と携帯端末１０の両方からの通信に同一の紐付け用ＩＤが含まれていることに基づき、機器ＩＤと携帯ＩＤとを関連付けする。
【００３８】
識別符号保持部４４は、携帯端末１０の携帯ＩＤとＤＴＶ７０の機器ＩＤとを関連付けて保持する。識別符号発行部４８は、ユーザからの指示を契機として紐付け用ＩＤとパスワードを携帯端末１０に発行する。
【００３９】
認証実行部４６は、ユーザから携帯端末１０を介してＤＴＶ７０への映像データのダウンロードを希望する旨の指令を受けたとき、携帯端末１０の携帯ＩＤに関連付けられた機器ＩＤを識別符号保持部４４から受け取り、この機器ＩＤを用いてコンテンツ配信装置５０との間で認証手続を実行する。
【００４０】
メタデータ修正部３４は、上記認証手続の完了後に、所望の映像データをユーザに選択させるために必要なメタデータをコンテンツ配信装置５０から受け取り、携帯端末１０上で利用可能な態様に修正する。すなわち、本来ＤＴＶ７０のディスプレイで表示されることを想定して送られてくるメタデータを、携帯端末１０で表示されることを考慮して取捨選択し、映像データのメニュー画面を作成する。あるいは、コンテンツ配信装置５０からメニュー画面のＨＴＭＬファイルが送られる場合には、携帯端末１０のディスプレイの画面幅やサポートしているＨＴＭＬタグに合わせてＨＴＭＬファイルを書き換える。
【００４１】
送信制御部３２は、修正されたメタデータを携帯端末１０に送信するとともに、ユーザの選択した映像データに関する情報を携帯端末１０から受け取り、コンテンツ配信装置５０に送信する。また、送信制御部３２は、映像データのダウンロード完了時にＤＴＶ７０から発信される完了通知を携帯端末１０に送信する。
【００４２】
トリガ送信部３６は、映像データの選択情報をコンテンツ配信装置５０に送信した後、映像データの録画の準備を促すトリガ信号をＤＴＶ７０に送信する。なお、トリガ信号を送信するか否かは、ＤＴＶ７０の録画機能の仕様によって決まる。ＤＴＶ７０が本体スイッチのオンオフにかかわらず送られてきた映像データを録画できるように構成されている場合、このようなトリガ信号は不要である。
【００４３】
続いて、コンテンツ配信装置５０の機能ブロックについて説明する。
【００４４】
認証部５２は、機器ＩＤが書き込まれたＨＴＴＰリクエストを受け取り、所定のプロトコルにしたがって認証手続を実行をする。機器ＩＤがコンテンツ配信装置５０に登録済のものであり、かつメーカ等で付与されている形式に準拠したものである場合、そのリクエストがＤＴＶからのものであると判断し、映像データのダウンロード要求を許可する。
【００４５】
属性情報管理部５４は、機器ＩＤを受け取り、ＤＴＶメーカから与えられているデータを参照して、アクセス中のＤＴＶの映像性能に関する様々な属性情報を引き出す。属性情報には、サポートされている圧縮符号化形式、画面サイズ、解像度、ビットレートなどの情報が含まれる。
【００４６】
映像データ蓄積部６２は複数の映像コンテンツデータを蓄積する。一種類のコンテンツに対し、画面サイズや解像度にバリエーションを持たせた複数の映像データが準備されていることが好ましい。
【００４７】
映像データ配信部６０は、ユーザにより選択された映像データを認識し、アクセス中のＤＴＶの属性に適合した映像データを映像データ蓄積部６２から読み出し、圧縮符号化した後ネットワークを介して配信する。映像データ配信部６０は、映像データが特定されたら直ちにダウンロードを開始してもよいが、ＤＴＶ７０側で録画準備ができるまでの間、待機するように構成されてもよい。
【００４８】
メタデータ管理部５８は、コンテンツ配信装置５０からダウンロード可能である各映像データのメタデータを管理する。このメタデータには、タイトル、再生時間、ジャンル、紹介コメント、課金情報などの情報が含まれる。メタデータ管理部５８は、代理アクセス装置３０またはＤＴＶ７０からアクセスされると、閲覧可能な映像データのメタデータを返信する。返信されたメタデータは、代理アクセス装置３０やＤＴＶ７０によってメニュー画面に構成され、ディスプレイに表示される。代替的に、メタデータ管理部５８が属性情報を参照してＤＴＶの画面サイズに適したメニュー情報を含むウェブページを作成し、それを返信するようにしてもよい。メタデータは、表現形式として例えばＸＭＬ（Extensible Markup Language）を採用している。
【００４９】
決済処理部５６は、ダウンロードすべき映像データがユーザによって選択されると、所定の決済処理を実行する。このような決済処理は周知であるので詳細な説明は省略する。
【００５０】
最後に、ＤＴＶ７０の機能ブロックについて説明する。
【００５１】
アドレス保持部７４は、コンテンツ配信装置５０と代理アクセス装置３０のネットワーク上のアドレスを保持する。アドレスは、ＵＲＬでもＩＰアドレスでもよい。
【００５２】
選択画面提供部７６は、携帯端末１０を用いてコンテンツ配信装置５０からＤＴＶ７０への映像データのダウンロード指令を希望するか否かをユーザに問い合わせる画面を表示する。
【００５３】
送受信部７８は、ＤＴＶ７０の識別情報として機器ＩＤとソフトＩＤを保持する。このうち、機器ＩＤは工場でハードウェア毎に付与されるシリアル番号であり、ソフトＩＤはコンテンツ配信装置から配信先のＤＴＶ毎に与えられるＩＤである。
送受信部７８は、上記選択画面においてダウンロードを希望する旨の指示がなされた場合、ユーザから入力された紐付け用ＩＤを機器ＩＤとともに代理アクセス装置３０へと送信する。また、ＤＴＶ７０上でメニュー画面を参照する場合に、コンテンツ配信装置５０に対して映像データのメタデータを要求する。
【００５４】
ダウンロード部８２は、コンテンツ配信装置５０に対して映像データの送信開始を要求し映像データを受け取る。映像データの全体を受け取ると、ダウンロード完了信号を発信する。この信号は、上記選択画面で携帯端末の使用が選択された場合には代理アクセス装置３０に発信され、そうでない場合にはコンテンツ配信装置５０に発信される。
【００５５】
映像録画部８４は、コンテンツ配信装置５０から送信される映像データを録画する。
【００５６】
なお、代理アクセス装置３０とコンテンツ配信装置５０は、それぞれ一台のサーバで構成されてもよいし、複数のサーバで上記機能ブロックを分担して担当してもよい。
【００５７】
図４は、代理アクセス装置３０の識別符号保持部４４で保持されるデータの一例を示すテーブル１００である。列１０２は、代理アクセス装置３０の識別符号発行部４８で発行される紐付け用ＩＤを表す。列１０４は上述の携帯ＩＤを表す。列１０６と列１０８は、それぞれＤＴＶ７０の機器ＩＤとソフトＩＤを表す。列１１０は、各ＤＴＶと契約しているコンテンツ配信装置のアドレスを表す。列１１２は、ユーザの名前等のユーザ情報を示す。
【００５８】
図５は、コンテンツ配信装置５０の認証部５２で使用されるテーブル１２０である。列１２２、１２４は配信先として登録されているＤＴＶ７０の機器ＩＤおよびソフトＩＤを表す。列１２６は各ＤＴＶのネットワーク上のアドレスを表す。列１２８は各ＤＴＶの属性情報を表す。
【００５９】
図６は、本実施形態に係る代理アクセスシステムを利用する前に携帯ＩＤと機器ＩＤとを関連付けする処理を示すフローチャートである。
まずユーザは、携帯端末１０を使用して、代理アクセス装置３０が提供するウェブサイトにアクセスし、関連付け用のウェブページを端末のディスプレイに表示させる（Ｓ３０）。そして、このページ上で紐付け用ＩＤとパスワードとを要求すると、識別符号発行部４８がそれらを作成し携帯端末１０に送信する（Ｓ３２）。このとき、関連付け実行部４２は、携帯端末１０に付与されている携帯ＩＤと今回発行された紐付け用ＩＤとを関連付け、識別符号保持部４４に記録しておく。
【００６０】
続いてユーザは、自宅のＤＴＶ７０のブラウザを起動し、登録用の画面を呼び出す。そして、代理アクセス装置３０から発行された紐付け用ＩＤとパスワードとを入力する（Ｓ３４）。ＤＴＶ７０の送受信部７８は、入力された紐付け用ＩＤとパスワードを代理アクセス装置３０に送信する（Ｓ３６）。
【００６１】
代理アクセス装置３０の関連付け実行部４２は、ＤＴＶ７０から送られた紐付け用ＩＤとパスワードを発行済のものと照合し（Ｓ３８）、認証が完了したことをＤＴＶ７０に通知する（Ｓ４０）。これに応じてＤＴＶ７０の送受信部７８は、ＤＴＶ７０の機器ＩＤを読み出し、接続先として記憶されているコンテンツ配信装置５０のアドレスとともに代理アクセス装置３０に送信する（Ｓ４２）。関連付け実行部４２は、機器ＩＤとコンテンツ配信装置のアドレスを携帯ＩＤと関連付けて識別符号保持部４４に記録する（Ｓ４４）。最後に、機器ＩＤの登録が完了したことをＤＴＶ７０に通知する（Ｓ４６）。
こうして代理アクセス装置はユーザの自宅のＤＴＶと携帯電話とを関連付けすることができ、携帯端末を使用した映像データのダウンロード指示の準備が完了する。
【００６２】
図７（ａ）〜（ｄ）は、図６のフローチャートの各段階でＤＴＶ７０に表示される画面の例を示す。
画面１４０は、ＤＴＶから呼び出される登録用画面１４０の一例を示す。この画面１４０には、携帯端末１０を使用した映像データのダウンロード予約が可能である旨の説明と選択ボタン１４２とが表示される。画面１４６は、ユーザが登録手続に進んだときの画面の一例を示す。ここには、ＤＴＶでの手続の前に携帯端末１０を用いて代理アクセス装置３０にアクセスして、紐付け用ＩＤとパスワードの発行を受けるようにユーザに促すメッセージが表示される。画面１４６には、登録を続けるかキャンセルするかを指示するボタン１４８も表示される。
【００６３】
画面１５２は、ユーザが紐付け用ＩＤとパスワードを入力するための画面であり、それそれの入力領域１５４と、登録を続けるかキャンセルするかを指示するボタン１５６が表示される。入力された管理用ＩＤとパスワードは、代理アクセス装置３０に送られる。画面１６０は、関連付けの完了通知をＤＴＶ７０が受け取ったときに表示される。
【００６４】
図８は、本実施形態に係る代理アクセスシステムにおいて、携帯端末を使用して映像データのダウンロードを指示する処理のフローチャートである。
まずユーザは、携帯端末１０を用いて代理アクセス装置３０にアクセスし、ディスプレイに表示されるウェブページを介して、映像データをＤＴＶ７０に対してダウンロードさせる代理アクセスを要求する（Ｓ６０）。これに応じて、代理アクセス装置３０の認証実行部４６は、携帯端末１０の携帯ＩＤを読み取り、識別符号保持部４４でこれに関連付けされているＤＴＶの機器ＩＤとソフトＩＤとを特定する。そして、機器ＩＤとソフトＩＤを含むＨＴＴＰリクエストをコンテンツ配信装置５０に対して送信する（Ｓ６２）。
【００６５】
コンテンツ配信装置５０の認証部５２は、ＤＴＶの機器ＩＤとソフトＩＤとを用いて所定のプロトコルにしたがって認証処理を実行する（Ｓ６４）。認証過程においては、例えば機器ＩＤとソフトＩＤとが登録済の組合せであるか否か、および機器ＩＤが所定の形式にしたがっているか等を確認する。
【００６６】
認証が完了すると、メタデータ管理部５８は、蓄積されている映像データに関するメタデータを代理アクセス装置３０に送信する（Ｓ６６）。代理アクセス装置３０のメタデータ修正部３４は、このメタデータに基づき携帯端末１０で表示可能なページを作成した上で、携帯端末１０に送信する（Ｓ６８）。
【００６７】
ユーザは、携帯端末１０のディスプレイに表示された映像データのメニューページを閲覧し、ＤＴＶ７０にダウンロードする映像データを選択し、代理アクセス装置３０に送信する（Ｓ７０）。送信制御部３２は、この情報をコンテンツ配信装置５０に渡す（Ｓ７２）。映像データ配信部６０は、選択された映像データを蓄積部６２の中から検索する。このとき、ＤＴＶの機器ＩＤに基づき属性情報を参照し、属性に適合した形式の映像データを選択することが好ましい。
【００６８】
映像データ配信部６０は、複数のレコーダ２０がＤＴＶ７０に接続されているときなどに、映像データのダウンロード先をユーザに問い合わせるため、ダウンロード先情報を送信する（Ｓ７４）。代理アクセス装置３０は、この情報に基づき携帯端末１０で表示可能なページを作成した上で携帯端末１０に送信する（Ｓ７６）。ユーザがダウンロード先を選択すると（Ｓ７８）、その情報が代理アクセス装置を介してコンテンツ配信装置の映像データ配信部６０に渡される（Ｓ８０）。
【００６９】
映像データ配信部６０は、映像データを選択されたダウンロード先に送信する（Ｓ８２）。ＤＴＶ７０のダウンロード部８２は、ダウンロードが正常に完了すると、代理アクセス装置３０に完了通知を送信する（Ｓ８４）。代理アクセス装置３０は、完了通知を携帯端末１０に送信する（Ｓ８６）。
【００７０】
このように、代理アクセス装置がＤＴＶに付与されている機器ＩＤを使用してコンテンツ配信装置にアクセスし、あたかもＤＴＶからの接続であるようにコンテンツ配信装置に対して動作することによって、ＤＴＶからの操作でなくても映像データのダウンロードを指示することが可能になる。
【００７１】
本実施形態のような代理アクセス装置を採用することの利点は、次の通りである。携帯端末を利用して選択した映像データを、予め登録されているＤＴＶに対して配信するように予約するシステムを構築することはもちろん可能である。しかし、これを実現するためには、コンテンツ配信装置が携帯端末の認証手続を担当しなければならず、したがって既存の配信システムを大幅に改良するか、新たな配信システムを設計する必要がある。これに対し、代理アクセス装置を携帯端末とコンテンツ配信装置の間の中継として設置することにより、既存のコンテンツ配信装置の改変がわずかで済む。また、ＤＴＶについても、代理アクセス装置への登録機能だけを追加すればよいため、ソフトウェアのアップデート程度で十分対応可能である。
【００７２】
図９および図１０は、ＤＴＶ７０における映像データ選択用のメニュー画面と携帯端末１０におけるメニュー画面とを比較する図である。コンテンツ配信装置５０から送信されるメタデータは、ＤＴＶ７０において図９に示すような映像データのメニュー画面１７０として表示される。一例として、メニュー画面１７０は、ジャンルを表すタブ１７２、各映像データのタイトル画像１７４、決定ボタン１７６などを含む。このメニュー画面は、代理アクセス装置３０のメタデータ修正部３４によって、図１０に示すような携帯端末用の小画面で表示できるように変換される。この画面１８０にも、タブ１８２、タイトル画像１８４、決定ボタン１８６などが表示される。メタデータのうち重要度の低い情報は、携帯用の画面に修正する際に削除されてもよい。このように、元々ＤＴＶ７０のディスプレイで表示されることを目的としてコンテンツ配信装置５０から送信される画像を代理アクセス装置３０が変換することによって、携帯端末１０を用いて映像データを選択できるようになる。
【００７３】
図１１および図１２は、複数のレコーダ２０がＤＴＶ７０に接続されているとき、ＤＴＶ７０に表示されるダウンロード先選択用のメニュー画面と携帯端末１０におけるメニュー画面とを比較する図である。この場合も、コンテンツ配信装置５０から配信されるメタデータは、ＤＴＶにおいて図１１に示すようなダウンロード先の選択画面２００として表示される。代理アクセス装置３０は、この画面を変換して図１２に示すような携帯端末用の画面２１０が表示されるようにする。画面２００、２１０には、ＤＴＶ７０に接続されているダウンロード先としてのレコーダ名２０２、２１２と、決定ボタン２０４、２１４とが含まれる。
なお、ＤＬＮＡ（Digital Living Network Alliance）ガイドライン対応のＤＴＶとレコーダを使用して、ホームネットワーク上で取得された名称をコンテンツ配信装置に送信することで、コンテンツ配信装置から送られるメタデータにレコーダ名を含めることができる。
【００７４】
以上説明したように、本実施形態に係る代理アクセス装置では、ＤＴＶの機器ＩＤを用いて携帯端末とコンテンツ配信装置との間のデータ送受信を仲介することで、ＤＴＶからのアクセスしか受け付けないコンテンツ配信装置に対して、携帯端末を使用して、ＤＴＶへと映像データをダウンロードするように指示できるようにした。これによって、ユーザは外出先等からでも映像データのダウンロードを指示することができる。そのため、時間のかかるデータの録画完了をＤＴＶの前で待機しなくてもよくなり、ユーザの利便性が向上する。
【００７５】
本実施形態は、ＤＴＶを対象機器としている映像データの配信サービスにおいて、コンテンツ配信装置やＤＴＶ等に対する改変を最小にしている点に特徴がある。すなわち、ＤＴＶにおいては、機器ＩＤと携帯ＩＤとの関連付けを可能にするための仕組みを追加すればよく、また、コンテンツ配信装置では、メタデータの送信先と映像データの配信先が異なることを許容する仕組みを追加すればよい。後は、代理アクセス装置を仲介させることで、携帯端末とＤＴＶとを連携的に動作させることが可能になる。
【００７６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００７７】
実施の形態では、代理アクセス装置に送られたメタデータを元に、代理アクセス装置が携帯端末で表示されるメニューページを作成することを述べた。しかしながら、コンテンツ配信装置自身がメニューページを作成してもよい。この場合、コンテンツ配信装置は、ＤＴＶの属性情報を参照してそれに適合したかたちのページを作成するので、携帯端末では表示することができない。そこで、代理アクセス装置のメタデータ修正部は、ウェブページのＨＴＭＬを解析して、携帯端末で表示すべき内容を決定し、それを元に新たなページを再構築するようにしてもよい。
【００７８】
実施の形態では、ＤＴＶから代理アクセス装置に対し機器ＩＤの送信が行われることで、携帯ＩＤとの関連付けがなされることを述べた。しかしながら、何らかの方法でユーザがＤＴＶの機器ＩＤを認識することができる場合、代理アクセス装置に対してユーザが機器ＩＤを直接入力するように構成してもよい。この場合は、ＤＴＶに対して特別な機能を追加する必要はない。
【００７９】
実施の形態では、コンテンツ配信装置は、ＤＴＶ上で映像データを選択するためのメタデータを代理アクセス装置に送信し、映像データは代理アクセス装置を経由せずにＤＴＶに送信するよう構成されている。しかしながら、コンテンツ配信装置は、メタデータと映像データの両方とも代理アクセス装置に送信するように構成されていてもよい。この場合、代理アクセス装置の送受信制御部は、データのヘッダやデータ形式などを参照して、携帯端末に送るべきデータか、ＤＴＶに送るべきデータかを判断してもよい。
【００８０】
実施の形態では、一つのＤＴＶの機器ＩＤに一つの携帯ＩＤが関連付けされている。しかしながら、一つのＤＴＶの機器ＩＤに複数の携帯ＩＤが関連付けされていてもよい。こうすることで、例えば、自宅にある一台のＤＴＶに対して、家族それぞれの携帯端末を使用して映像データのダウンロード指示をすることが可能になる。反対に、一つの携帯ＩＤが複数のＤＴＶの機器ＩＤと関連付けされていてもよい。
【００８１】
本発明は、以下に挙げるような様々な映像装置を対象とすることができる。
１．ブラウザ機能を備えたテレビ装置。テレビ装置のハードウェアに機器ＩＤが付与されている。テレビ装置を通じてユーザが録画の指示を出すことはできるが、録画自体はテレビ装置に接続されたレコーダが実施する。
２．ブラウザ機能を備えたレコーダ。レコーダのハードウェア（ハードディスクドライブなど）に機器ＩＤが付与されている。録画した映像を表示するディスプレイは持たない。
３．ブラウザ機能、レコーダ機能、ディスプレイを備えたテレビ装置。テレビ装置のハードウェアに機器ＩＤが付与されている。
４．ブラウザ機能を備えたセットトップボックス。セットトップボックスのハードウェアに機器ＩＤが付与されている。セットトップボックスは、テレビ装置およびレコーダに接続される。セットトップボックスがネットワークを介してダウンロードした映像をテレビ装置に出力したり、またはユーザがセットトップボックスを通じてレコーダへの録画指示を出したりすることができる。
実施の形態では、上記１または３に対応するテレビ装置を例として説明したが、適切な修正を加えることで上記２または４のような映像装置にも本発明を適用できることは、当業者には明らかである。
【図面の簡単な説明】
【００８２】
【図１】本発明の一実施形態に係る代理アクセスシステムの全体構成を示す図である。
【図２】従来のコンテンツ配信装置とＤＴＶの間で映像データのダウンロードをする処理のフローチャートである。
【図３】代理アクセス装置、コンテンツ配信装置、およびＤＴＶの構成を示す機能ブロック図である。
【図４】識別符号保持部に記録されている関連付け用のテーブルを示す図である。
【図５】コンテンツ配信装置に記録されている認証用のテーブルを示す図である。
【図６】一実施形態に係る代理アクセスシステムを利用する前に、携帯ＩＤと機器とを関連付けする処理を示すフローチャートである。
【図７】図７（ａ）〜（ｄ）は、図６に示したフローチャートの各段階においてＤＴＶに表示される画面の例を示す図である。
【図８】代理アクセスシステムにおいて、携帯端末を使用して映像データのダウンロードを指示する処理のフローチャートである。
【図９】ＤＴＶにおける映像データ選択用のメニュー画面を示す図である。
【図１０】携帯端末における映像データ選択用のメニュー画面を示す図である。
【図１１】ＤＴＶにおけるダウンロード先選択用のメニュー画面を示す図である。
【図１２】携帯端末におけるダウンロード先選択用のメニュー画面を示す図である。
【符号の説明】
【００８３】
１０  携帯端末、  １４  ネットワーク、  ３０  代理アクセス装置、  ３２  送信制御部、  ３４  メタデータ修正部、  ３６  トリガ送信部、  ４０  代理アクセス処理部、  ４２  関連付け実行部、  ４４  識別符号保持部、  ４６  認証実行部、  ４８  識別符号発行部、  ５０  コンテンツ配信装置、  ５２  認証部、  ５４  属性情報管理部、  ５８  メタデータ管理部、  ６０  映像データ配信部、  ６２  映像データ蓄積部、  ７０  ＤＴＶ、  ７４  アドレス保持部、  ７６  選択画面提供部、  ７８  送受信部、  ８０  メニュー画面提供部、  ８２  ダウンロード部、  ８４  映像録画部。
【図１】
2009141856.tif 000003
【図２】
2009141856.tif 000004
【図３】
2009141856.tif 000005
【図４】
2009141856.tif 000006
【図５】
2009141856.tif 000007
【図６】
2009141856.tif 000008
【図７】
2009141856.tif 000009
【図８】
2009141856.tif 000010
【図９】
2009141856.tif 000011
【図１０】
2009141856.tif 000012
【図１１】
2009141856.tif 000013
【図１２】
2009141856.tif 000014